(57)【要約】  【課題】  本発明では、縫着して製造することにより縫い目のある羽毛布団であっても、特別な工程を経ることなしに製造でき、縫い目から羽毛がはみ出すことや、噴出することのない羽毛布団の提供を目的とする。  【解決手段】  袋体１４の上下各側を構成する表地１２と裏地１３との間に、襠布１５，２２，３２を介在させて内部を区分けし、該区分けした区域Ａごとに羽毛１７を充填させてなる羽毛布団１１，２１，３１であって、上記襠布１５，２２，３２を、少なくとも一方の面が起毛（１６）した生地で構成した羽毛布団１１，２１，３１。  【選択図】    図２
2005328889.tif 000002
【特許請求の範囲】
【請求項１】
袋体の上下各側を構成する表地と裏地との間に、襠布を介在させて内部を区分けし、該区分けした区域ごとに羽毛を充填させてなる羽毛布団であって、
上記襠布を、少なくとも一方の面を起毛した生地で構成した
羽毛布団。
【請求項２】
前記襠布の上下方向における一方の端部を前記表地に重合させるとともに、他方の端部を前記裏地に重合させて縫着した
請求項１に記載の羽毛布団。
【請求項３】
前記襠布の一方の面のみを起毛した生地で構成し、
上記襠布における起毛していない面を、前記表地、及び、前記裏地に重合させた構成である
請求項１、又は、請求項２に記載の羽毛布団。
【請求項４】
前記襠布の一方の面のみを起毛した生地で構成し、
上記襠布における起毛した面を、前記表地、及び、前記裏地に重合させた構成である
請求項１、又は、請求項２に記載の羽毛布団。
【請求項５】
前記襠布の両面を起毛した生地で構成した
請求項１、又は、請求項２に記載の羽毛布団。
【発明の詳細な説明】
【技術分野】
【０００１】
この発明は、袋状に構成した表地と裏地との間に介在させた襠布によって、内部に充填した羽毛を区分けしてなる羽毛布団（羽根布団）に関する。
【背景技術】
【０００２】
羽毛布団は、軽量であり、保温性、発散性に優れているなどの特徴を有することから広く普及している。
【０００３】
このような、羽毛布団は、表地と裏地とを袋状にしたり、内部に充填した羽毛が偏在することを防止するために複数の襠布を介在させたりして構成される。そして、このように構成されるため、製造工程においては、ミシンなどを用いて縫着する縫製により行われることが多い。
【０００４】
しかし、上記羽毛布団は、長期間使用し続けると、縫い目（針穴）から羽毛の毛先がはみ出したり、羽毛が噴出してくるという問題がある。その他、縫い目からダニなどの虫が内部に入り込むことから衛生面においても問題がある。
【０００５】
このような問題を解決するために、例えば、下記特許文献１の先行技術が提案されている。
【０００６】
上記先行技術における羽毛布団は、表地と裏地との縁部間に帯状布材と呼ばれる部材を介在させて該縁部を縫着し、さらに、縁布と呼ばれる部材を上記縁部に接着剤により接着して構成される。
【０００７】
上述する構成を採れば、直接、表地と裏地との縁部を縫着するのではなく、上記帯状布材を介在させて縫着することで、縫い目を閉塞する。
【０００８】
さらに、上記縁部に縁布を接着することで、内部の羽毛が抜き出ることを阻止することができるとともに、ダニなどが入り込むことを阻止することができることが上記先行技術に開示されている。
【０００９】
しかし、上記羽毛布団では、上記帯状布材や、上記縁布などの別部材が必要となり、その他、接着剤も別途、必要となるため、その分、コストが高くなる。  
さらに、表地と裏地との縁部を縫着する工程の後で、縁布を接着する工程も必要となるとともに、上記帯状布材や上記縁布を、表地と裏地との縁部全体に取り付け可能な形態に加工する工程も必要となる。  
このため、製造工程や製造コストが増加してしまうという問題も有する。
【００１０】
また、上記先行技術における上記羽毛布団は、内部を複数の区画室（区域）ごとに区分けするために、上記表地と上記裏地とに帯状隔壁布（襠布）と呼ばれる部材の端部を、接着剤により接着して構成している。
【００１１】
このように、帯状隔壁布についても、縫い目から羽毛がはみ出ることを阻止するために、上記表地と上記裏地とに縫着せずに、接着剤により接着した構成を採る。
【００１２】
しかし、接着によるものは、接着部の強度が不足し、耐久性に欠ける場合もある。また、接着部の剛性が高く、羽毛布団の優れた弾力性などが低下し、使用感を損ねるという新たな問題が生じるおそれがある。
【００１３】
【特許文献１】特許第２７６４３９３号公報
【発明の開示】
【発明が解決しようとする課題】
【００１４】
そこで本発明では、縫着により製造した縫い目のある羽毛布団であっても、特別な工程を経ることなしに製造でき、縫い目から羽毛がはみ出すことや、噴出することのない羽毛布団の提供を目的とする。
【課題を解決するための手段】
【００１５】
本発明の羽毛布団は、袋体の上下各側を構成する表地と裏地との間に、襠布を介在させて内部を区分けし、該区分けした区域ごとに羽毛を充填させてなる羽毛布団であって、上記襠布の少なくとも一方の面を起毛した生地で構成したことを特徴とする。
【００１６】
さらに、上記羽毛布団は、上記襠布の上下方向における一方の端部を上記表地に重合させるとともに、他方の端部を上記裏地に重合させて縫着したことを特徴とする。
【００１７】
また、上記襠布の一方の面のみを起毛した生地で構成した場合、上記羽毛布団は、上記襠布における起毛していない面を、上記表地、及び、上記裏地に重合させた構成とすることができる。
【００１８】
上記構成を採れば、羽毛が縫い目の近傍に接近したとき、該縫い目の近傍で起毛している毛が、羽毛に絡み着くため、縫い目から噴出すことを阻止することができる。
【００１９】
さらに、上記羽毛布団は、上記襠布における起毛した面を、前記表地、及び、前記裏地に重合させた構成としてもよい。
【００２０】
上記構成を採れば、上記襠布における上記表地、及び、上記裏地に重合させた側の面において、本来、起毛している毛は、倒伏した状態となり、該倒伏した毛が縫い目（針穴）を塞いで、羽毛が抜き出ることを阻止することができる。
【００２１】
また、上記羽毛布団は、上記襠布の両面を起毛した生地で構成してもよい。
【００２２】
上記構成を採れば、上述した一方の面を起毛した生地で構成した場合と比較して、より確実に羽毛が抜き出ることを阻止することができる。
【発明の効果】
【００２３】
以上のように、この発明によれば、上記襠布を上記表地、及び、上記裏地に縫着により固着した場合であっても、起毛した毛が羽毛に絡み付いて縫い目に接近することを阻害するとともに、縫い目を閉塞することができる。  
このため、羽毛布団を長期間使用しても羽毛が噴出してくることがないのは勿論、羽毛がはみ出すこともない。
【００２４】
さらに、例えば、表地、裏地、及び、襠布などの羽毛布団を製造する上で最低限必要となる構成部材のみで製造することができる。  
このため、従来の製造工程と同様の工程を経て製造できるため、製造工程、製造コストを要さず、しかも、縫着した縫い目から内部の羽毛が抜け出るための対策として、別途、新たな部材を追加したり、加工したりする必要もないため、コストも低減できる。
【発明を実施するための最良の形態】
【００２５】
この発明の一実施形態を、以下図面を用いて説明する。  
図１、図２に示したように上記羽毛布団１１の構成は、所定の模様がプリントされた（図示せず）表地１２と、白色無地の裏地１３とにおける周縁部１２ａ，１３ａを縫着して袋体１４を構成している。  
これらの袋体１４を構成する生地は、織目から羽毛が羽毛が漏出しないよう、いわばダウンプルーフ加工が施されている。
【００２６】
さらに、その袋体を複数の区域Ａ（Ａ１１，Ａ１２…，Ａ７４）に区分けすべく、上記表地１２と上記裏地１３との間に複数の襠布１５を介在させている。上記襠布１５は、上記袋体１４を平面視したとき、格子状となるよう横方向、及び縦方向に配されている。  
なお、図１は、本実施形態に係る羽毛布団１１の平面図を示し、図２は、図１におけるＡ−Ａ断面図を示す。
【００２７】
上記襠布１５は、綿材質の生地における一方の面１５ａ全体に複数の柔軟な起毛１６を植設して構成している。
【００２８】
上記襠布１５は、上記表地１２、及び、上記裏地１３のそれぞれに対して、以下のとおり取り付いている。  
まず、襠布１５における上下方向の両縁部を、起毛させている面の側が谷折りになるよう折り曲げて、襠布１５の上下両端部に耳部１５ｃ，１５ｄを構成する。さらに、袋体１４の内部において、上記襠布１５の上端部の耳部１５ｃを表地１２に、下端部の耳部１５ｄを裏地１３に重合させて、格子状となるようミシンなどにより一体に縫着している。
【００２９】
なお、襠布１５は、２部材を上下方向の中間部１５ｅにおいて、縫着することにより連結し、一体に構成しているが、各区域Ａ内に羽毛１７を充填するまでは、その中間部１５ｅを開口させておき、羽毛１７を充填させたときに上記中間部１５ｅを封止している。
【００３０】
このように、襠布１５により区分けされた区域Ａごとには、羽毛１７を充填している。
【００３１】
以上により、袋体１４の内部において、充填した羽毛１７が偏在してしまうことを防止している。  
なお、羽毛１７は、弾性力など所望の性状をだすため、いわゆるダウン１７ａ（羽毛１７ａ）以外にもフェザー１７ｂ（羽根１７ｂ）なども所定の割合で混入されている。
【００３２】
本実施形態における羽毛布団１１は、上述のように構成するものとして、以下、作用・効果を説明する。
【００３３】
上記襠布１５に対して両側の区域Ａ５１，Ａ５２における、襠布１５の起毛させた側の面１５ａを壁面とする区域Ａ５２においては、図３に示したように、縫い目１８の近傍に、複数の起毛１６が存在する。  
なお、図３は、図２で示した襠布１５における上端側の耳部１５ｃ及びその周辺を示す。
【００３４】
このため、図３中、縫い目１８の周辺に存在する羽毛１７Ａは、縫い目１８の方へ近づけば近づくほど、該複数の起毛１６に絡みつくため、縫い目１８（針穴）に羽毛１７が入り込むことを阻止できる。
【００３５】
また、羽毛布団１１が例えば、上下方向に押圧された状態の場合においては、押圧力が作用することにより起毛していた複数の起毛１６が倒伏するが、倒伏した起毛１６が針穴１８を閉塞することになる。このため、たとえ、羽毛１７の中でも比較的硬質であるフェザー１７ｂの羽軸であっても、その先端が縫い目１８から突き出ることもなく、ダニなどが入り込むことを阻止することもできる（図示せず）。
【００３６】
なお、上記襠布１５に対して両側の区域Ａにおける襠布１５の起毛してない面１５ｂを壁面とする区域Ａ５１に着目すると、上記襠布１５は、耳部１５ｃ，１５ｄを該区域Ａ５１内の方向に折り曲げていないため、該区域Ａ５１内において襠布１５の縫い目１８は存在しない。よって、羽毛１７が羽毛布団１１の外側に噴き出るおそれがない。
【００３７】
また、図４に示したように、他の実施の形態に係る羽毛布団２１として、上記襠布２２を、その両面２２ａ，２２ｂが起毛した形態で構成してもよい。  
上記構成を採れば、耳部２２ｃ，２２ｄの両面２２ａ，２２ｂにおいて起毛１６を植設した構成となるが、図５に示したように、耳部２２ｃ，２２ｄにおける表地１２に重合された側の面２２ｂで起毛１６は全て倒伏した状態となる。  
しかし、結果的に倒伏した起毛１６が縫い目１８を閉塞するため、該縫い目１８から羽毛１７が噴き出ることを完全に阻止することができる。
【００３８】
また、上述した実施の形態に係るいずれの羽毛布団１１，２１の場合においても、襠布１５，２２の一方の面１５ａ，２２ａ、又は両面１５ｂ，２２ｂの全体に、複数の起毛１６を植設することで、羽毛布団１１，２１が圧縮されたときに複数の起毛１６が弾性体として作用するため、充填した羽毛１７を保護することができる。
【００３９】
さらに、羽毛布団１１，２１が圧縮されたとき、上記フェザー１７ｂの羽軸の先端が、襠布２２に接触した場合であっても、襠布１５，２２には、複数の起毛１６を植設しているため、該フェザー１７ｂが直接、襠布１５，２２の生地自体に接触することなく、襠布１５，２２を傷めることがない。  
その他、充填した羽毛１７のうち、襠布１５，２２における面全体に植設した起毛１６がその近傍に有する羽毛１７と絡みついて、充填した羽毛１７を拘束するため、各区域Ａ内においても羽毛１７が偏らないように保護できるという効果も生じる。
【００４０】
ただし、襠布は、上述した襠布１５，２２のように一方の面１５ａ、又は両面２２ａ，２２ｂの全体に起毛１６を植設した形態でなくても、例えば耳部１５ｃ，１５ｄ、又は２２ｃ，２２ｄなどに最低限必要となる縫い目１８の周辺部位にのみに、複数の起毛１６を植設した形態であってもよい。
【００４１】
すなわち、例えば、耳部にのみ複数の毛を起毛状態に植設した形態で襠布を構成した場合は、上述したとおり、縫い目１８から羽毛１７が抜き出ることを阻害でき、しかも、襠布における耳部以外の部位には毛１８を形成していないため、その部位の通気性、発散性は向上し、各区域Ａ間の通気性を良好に保つことができる。
【００４２】
このように、上述した実施形態では、本発明における好ましい実施形態について説明したが、上述した実施形態の羽毛布団１１，２１に限定しない。  
例えば、上記羽毛布団は、襠布の一方の面のみを起毛した生地で構成し、前述した実施形態と異なり、上記襠布における起毛した面を、表地、及び、裏地に重合させた構成であるとしてもよい。
【００４３】
つまり、前述した一方の面１５ａにのみ起毛させた形態の襠布１５（図２における襠布１５）とは反対側の面１５ｂにのみ起毛させた形態の襠布であってもよい。
【００４４】
上記構成を採る羽毛布団は、図６に示したように、表地１２と上端部の耳部３２ｃにおいて、倒伏した状態の起毛１６が互いに絡まりあって、縫い目１８を閉塞することができる。勿論、裏地と下端部の耳部においても同様に倒伏した毛が縫い目を閉塞した形態となる。
【００４５】
上記構成により、表地と耳部、及び裏地と耳部が重合する部位において、毛が倒伏して縫い目を閉塞することから羽毛が噴き出ることを防止することができる。
【００４６】
そして、片面のみを起毛した生地で襠布１５、３２を構成すれば、両面を起毛した生地で襠布２２を構成するよりも、低コストで羽毛１７の噴出を防ぐことができる。
【００４７】
さらに、上述したように襠布１５，２１を、上記表地１２、及び上記裏地１３に縫着することにより、一体に構成すれば、接着剤やテープで固着するのと比較して、強度を確保できるとともに、羽毛布団の特徴である心地よい肌触りや高い弾性力を維持することができる。  
このため、本発明に係る羽毛布団は、縫着により固着して構成することは好ましい形態であるが、縫着に限らず、適宜、接着剤やテープで接着して羽毛布団を構成してもよい。
【００４８】
また、上記襠布１５，２２、上記表地１２、及び、上記裏地１３の生地は、綿、合成繊維、シルク、などのいずれの材質であってもよい。
【００４９】
さらに、上記襠布１５，２２に用いる生地は、編物、織物、或いは不織布のいずれの生地であってもよく、特に、編物については、経編み、緯編み、丸編み等のいずれにも限定されない。そして、不織布については、毛が常時、絡まりあった状態のものや、解れた状態のものなど、いずれの状態のものも起毛した生地としてこれに含まれる。
【００５０】
加えて、上記襠布１５，２２は、起毛１６が生地からループ状に起毛した形態であってもよい。そして、起毛１６は、直線状であっても撚りをかけた形態であってもよい。
【００５１】
なお、上記起毛１６の長さは、内部に充填する羽毛１７の種類、或いは襠布１５，２２に植設する毛１８の密度などに応じて、さらには羽毛布団の製造コストなども勘案して設定することができ、好ましくは、０．５ｍｍから５ｍｍ程度の範囲で設定するとよい。
【００５２】
上述の実施形態と、この発明の構成との対応において、この実施形態の耳部１５ｃ，１５ｄ、又は２２ｃ，２２ｄは、この発明の上下方向の一方の端部、及び他方の端部に対応するも、このように、この発明は、上述の実施形態の構成のみに限定されるものではなく、多くの実施の形態を得ることができる。
【図面の簡単な説明】
【００５３】
【図１】本実施形態に係る羽毛布団の平面図。
【図２】図１におけるＡ−Ａ断面図。
【図３】本実施形態に係る羽毛布団の要部拡大図。
【図４】本実施形態に係る他の羽毛布団を図２に対応させて示した断面図。
【図５】本実施形態に係る羽毛布団の要部拡大図。
【図６】本実施形態に係る羽毛布団の要部拡大図。
【符号の説明】
【００５４】
１１，２１，３１…羽毛布団
１２…表地
１３…裏地
１４…袋体
１５，２２，３２…襠布
１５ａ，３２ｂ…襠布の一方の面
２２ａ，２２ｂ…襠布の両面
１６…起毛
１７…羽毛
１８…縫い目（針穴）
Ａ…区域
【図１】
2005328889.tif 000003
【図２】
2005328889.tif 000004
【図３】
2005328889.tif 000005
【図４】
2005328889.tif 000006
【図５】
2005328889.tif 000007
【図６】
2005328889.tif 000008